(57)【特許請求の範囲】
【請求項１】
浄水処理のために取水された被処理水の流量を計測する第１流量計と、
前記被処理水に紫外線を照射する紫外線照射ランプと、
前記第１流量計で計測された被処理水の流量に基づいて前記紫外線照射ランプによる紫外線の照射量を制御する紫外線照射量制御装置と、
前記紫外線照射ランプにより紫外線が照射された後の被処理水を昇圧する高圧ポンプと、
前記高圧ポンプにより昇圧された被処理水を電解処理するための、銅イオンまたは活性酸素を発生させる電極を有する電解装置と、
前記電解装置により電解処理された被処理水を通水して溶質を除去する逆浸透膜モジュールと、
を備えることを特徴とする逆浸透膜を用いた水処理システム。
【請求項２】
前記浄水のために取水された被処理水のアデノシン三リン酸濃度を測定する第１ＡＴＰ測定装置をさらに備え、
前記紫外線照射量制御装置は、前記第１流量計で計測された被処理水の流量と前記第１ＡＴＰ測定装置で測定されたアデノシン三リン酸濃度とから算出されるアデノシン三リン酸量に基づいて、前記紫外線照射ランプによる紫外線の照射量を制御する
ことを特徴とする請求項１に記載の逆浸透膜を用いた水処理システム。
【請求項３】
前記浄水のために取水された被処理水のクロロフィルａ濃度を測定する第１クロロフィルａ測定装置をさらに備え、
前記紫外線照射量制御装置は、前記第１流量計で計測された被処理水の流量と前記第１クロロフィルａ測定装置で測定されたクロロフィルａ濃度とから算出されるクロロフィルａ量に基づいて、前記紫外線照射ランプによる紫外線の照射量を制御する
ことを特徴とする請求項１または２に記載の逆浸透膜を用いた水処理システム。
【請求項４】
前記紫外線照射ランプにより紫外線が照射された後、前記高圧ポンプにより昇圧される前の被処理水の流量を計測する第２流量計と、
前記第２流量計で計測された被処理水の流量に基づいて前記電解装置の電極への電気エネルギーの供給頻度または間隔を制御する電源制御装置と
をさらに備えることを特徴とする請求項１〜３いずれか１項に記載の逆浸透膜を用いた水処理システム。
【請求項５】
前記紫外線照射ランプにより紫外線が照射された後、前記高圧ポンプにより昇圧される前の被処理水のアデノシン三リン酸濃度を測定する第２ＡＴＰ測定装置をさらに備え、
前記電源制御装置は、前記第２流量計で計測された被処理水の流量と前記第２ＡＴＰ測定装置で測定されたアデノシン三リン酸濃度とから算出されるアデノシン三リン酸量に基づいて、前記電源制御装置による前記電解装置の電極への電気エネルギーの供給頻度または間隔を制御する
ことを特徴とする請求項１〜４いずれか１項に記載の逆浸透膜を用いた水処理システム。
【請求項６】
前記紫外線照射ランプにより紫外線が照射された後、前記高圧ポンプにより昇圧される前の被処理水のクロロフィルａ濃度を測定する第２クロロフィルａ測定装置をさらに備え、
前記電源制御装置は、前記第２流量計で計測された被処理水の流量と前記第２クロロフィルａ測定装置で測定されたクロロフィルａ濃度とから算出されるクロロフィルａ量に基づいて、前記電源制御装置による前記電解装置の電極への電気エネルギーの供給頻度または間隔を制御する
ことを特徴とする請求項１〜５いずれか１項に記載の逆浸透膜を用いた水処理システム。
【請求項７】
前記浄水処理のために取水される前の被処理水が貯留されるろ過水槽の、被処理水流出口近傍に設置され、前記ろ過水槽内の前記被処理水流出口近傍の被処理水に紫外線を照射する第２紫外線照射ランプをさらに備える
ことを特徴とする請求項１〜６いずれか１項に記載の逆浸透膜を用いた水処理システム。
【請求項８】
前記浄水処理のために取水される前の被処理水が貯留されるろ過水槽の上部に設置され、前記ろ過水槽内の上部の被処理水に紫外線を照射する第３紫外線照射ランプをさらに備える
ことを特徴とする請求項１〜７いずれか１項に記載の逆浸透膜を用いた水処理システム。
【発明の詳細な説明】
【技術分野】
【０００１】
本発明の実施形態は、逆浸透膜を用いた水処理システムに関する。
【背景技術】
【０００２】
従来、イオンや塩類などの溶質を含む汽水、海水、地下水または埋立地浸出水、産業廃水などを浄化して生活用水、工業用水、農業用水を得る方法として膜ろ過法が知られている。
【０００３】
膜ろ過法の１つとして逆浸透膜を利用する方法がある。逆浸透膜（RO膜）は、水を通しイオンや塩類など水以外の不純物は透過させない性質を持つ膜のことで、溶質の濃度に応じた浸透圧以上の圧力をかけることにより水と溶質とを分離する。
【０００４】
こうした逆浸透膜モジュールを利用した水処理システムである海水淡水化システムでは、逆浸透膜モジュールにおける膜の目詰まりであるファウリングが問題となっている。中でも微生物や藻類等が関与するバイオファウリングが主な原因とされるため、このバイオファウリングの生成を抑制することが重要となる。
【０００５】
海水淡水化システムなどの被処理水の水質は時間や季節による変動、さらには地理的差異があり、またファウリング要因物質もこれらの影響を受けるため、これらに応じて適切な対策を講じなければならない。
【０００６】
ファウリングを抑制する手段として、対象とする被処理水中に次亜塩素酸ナトリウム等の消毒剤を注入して、微生物を不活化させる技術を用いたものがある。
【先行技術文献】
【特許文献】
【０００７】
【特許文献１】特開２００８−２８４４６９号公報
【発明の概要】
【発明が解決しようとする課題】
【０００８】
しかしながら、次亜塩素酸ナトリウムは被処理水が取水された時点、つまり処理工程の初期時点で添加されるため、以降のろ過処理、昇圧等の処理の後に通水される逆浸透膜付近では消毒作用が低減して微生物等が増殖し、逆浸透膜モジュールで膜の閉塞が生じる場合があり、安定して運転することが困難となることがあった。
【０００９】
また、逆浸透膜は次亜塩素酸ナトリウムに弱く、被処理水中に次亜塩素酸ナトリウムが含有していると膜の劣化が生じてしまうため、逆浸透膜モジュールの直前で亜硫酸水素ナトリウムを注入して次亜塩素酸ナトリウムを還元し膜の劣化を防ぐ技術がある。ところが、この亜硫酸水素ナトリウムを栄養源とする微生物も存在するため、亜硫酸水素ナトリウムの注入により微生物が増殖してしまう場合があるという問題があった。また、逆浸透膜モジュールの手前で次亜塩素酸ナトリウムを注入して還元するため、逆浸透膜では消毒効果が得られず、微生物の再増殖が生じてしまうという問題があった。
【００１０】
処理水を消毒する他の方法として紫外線を照射することも考えられるが、紫外線は照射した範囲でのみ有効であるため、照射光が届かず不活化されなかった微生物が逆浸透膜に流入してしまう恐れがある。
【００１１】
また、紫外線照射により逆浸透膜の閉塞を抑制するには、処理水が膜に流入する直前に照射処理を行うことが効果的であるが、膜の閉塞が懸念される逆浸透膜部分近傍は高圧となっており、紫外線照射ランプを設置できない環境にあるという問題があった。
【００１２】
本発明は上記事情に鑑みてなされたものであり、浄水に利用される逆浸透膜におけるファウリングの発生を、高い精度で安全に抑制することが可能な逆浸透膜を用いた水処理システムを提供することを目的とする。
【課題を解決するための手段】
【００１３】
上記目的を達成するための実施形態によれば、水処理システムは第１流量計と紫外線照射ランプと紫外線照射量制御装置と高圧ポンプと電解装置と逆浸透膜モジュールとを備える。第１流量計は被処理水の流量を計測する。紫外線照射ランプは被処理水に紫外線を照射する。紫外線照射量制御装置は、計測された被処理水の流量に基づいて紫外線照射ランプによる紫外線の照射量を制御する。高圧ポンプは紫外線が照射された後の被処理水を昇圧する。電解装置は被処理水を電解処理するための銅イオンまたは活性酸素を発生させる電極を有する。逆浸透膜モジュールは電解処理された被処理水を通水して溶質を除去する。
【図面の簡単な説明】
【００１４】
【図１】第１実施形態による水処理システムの構成を示す全体図である。
【図２】第２実施形態による水処理システムの構成を示す全体図である。
【図３】第３実施形態による水処理システムの構成を示す全体図である。
【図４】第４実施形態による水処理システムの構成を示す全体図である。
【図５】第５実施形態による水処理システムの構成を示す全体図である。
【図６】第６実施形態による水処理システムの構成を示す全体図である。
【図７】第７実施形態による水処理システムの構成を示す全体図である。
【図８】第８実施形態による水処理システムの構成を示す全体図である。
【発明を実施するための形態】
【００１５】
本発明の水処理システムによる浄水処理の実施形態として、逆浸透膜モジュールを利用した海水の淡水化システムによる淡水化処理について説明する。
【００１６】
〈第１実施形態〉
本発明の第１実施形態による淡水化システムについて、図１を参照して説明する。
【００１７】
本実施形態による淡水化システムは、処理対象の原水を貯留する原水槽１と、原水槽１から原水を取水する原水ポンプ２と、原水ポンプ２で取水された原水をろ過処理して被処理水とする前処理装置３と、前処理装置３で処理された被処理水を貯留するろ過水槽４と、ろ過水槽４から被処理水を取水する供給ポンプ５と、供給ポンプ５で取水された被処理水から異物を取り除く保安フィルタ６と、保安フィルタ６を通過した被処理水の圧力を、逆浸透処理のために昇圧（例えば６ＭＰａ程度に）する高圧ポンプ７と、昇圧された被処理水を通水してイオンや塩類などの溶質を除去して処理済の生産水とする逆浸透膜モジュール８と、この生産水を貯留する生産水槽９とを備える。
【００１８】
またこの淡水化システムは、供給ポンプ５により取水され保安フィルタ６に供給される被処理水の流量を計測する第１の流量計である流量計１０と、この被処理水に紫外線を照射して消毒を行う第１の紫外線照射ランプ１１と、流量計１０で計測された被処理水の流量に基づいて紫外線照射ランプ１１による紫外線の照射量を制御する紫外線照射量制御装置１２Ａとをさらに備える。紫外線照射量制御装置１２Ａは、流量計１０で計測された被処理水の流量が多い程紫外線照射ランプ１１による照射量を多くするように制御する。
【００１９】
このように被処理水の流量に基づいて決定された適切な照射量で紫外線を照射することにより、高圧ポンプ７で昇圧される前の被処理水の微生物の増殖能力や藻類の繁殖能力が高い精度で不活化される。
【００２０】
またこの淡水化システムは、高圧ポンプ７で昇圧した後、逆浸透膜モジュール８に通水する前の被処理水を電解処理する電解装置１３Ａをさらに備える。電解装置１３Ａは、昇圧した被処理水中に銅イオンを発生させる電極１３１Ａと、電極１３１Ａに電気エネルギーを供給する電源部１３２とを有する。
【００２１】
このように逆浸透膜モジュール８の直前段階に電解装置１３Ａを設置して被処理水中に銅イオンを発生させることにより、紫外線照射ランプ１１により不活化されずに残った微生物や藻類が不活化される。
【００２２】
以上の本実施形態によれば、高圧ポンプで昇圧する前段で紫外線を照射し、その後紫外線照射の効果が低下すると考えられる逆浸透膜モジュールの直前段階の高圧部分では、高圧に耐えられるように電解装置の電極から消毒作用の強い銅イオンを発生させることで微生物や藻類の不活化を行うため、高い精度で逆浸透膜の目詰まりを防止することが可能である。なお、膜の目詰まりは、微生物や藻類から放出されるＴＥＰ（透明細胞外高分子粒子）やＥＰＳ（細胞外ポリマー）が主な原因であるため、これらを放出する微生物や藻類自身を不活化させ、繁殖や増殖を防止することは、膜の目詰まり防止に有効である。
【００２３】
〈第２実施形態〉
本発明の第２実施形態による淡水化システムについて、図２を参照して説明する。
【００２４】
本実施形態による淡水化システムは、供給ポンプ５と保安フィルタ６との間の被処理水の流路に第１のＡＴＰ（アデノシン三リン酸）測定装置１４を設置し、紫外線照射量制御装置１２Ａに替えて紫外線照射量制御装置１２Ｂを設置する他は第１実施形態による淡水化システムの構成と同様であるため、同一機能を有する装置については詳細な説明は省略する。
【００２５】
ＡＴＰ測定装置１４は、供給ポンプ５により取水され保安フィルタ６に供給される被処理水から、微生物量の指標となるＡＴＰ濃度を計測する。
【００２６】
紫外線照射量制御装置１２Ｂは、流量計１０で計測された被処理水の流量とＡＴＰ測定装置１４で計測されたＡＴＰ濃度との積から被処理水のＡＴＰ量を算出し、このＡＴＰ量が多い程紫外線照射ランプ１１による照射量を多くするように制御する。
【００２７】
このように被処理水のＡＴＰ量に基づいて決定された適切な照射量で紫外線を照射することにより、高圧ポンプ７で昇圧される前の被処理水の微生物の増殖能力がより高い精度で不活化される。
【００２８】
〈第３実施形態〉
本発明の第３実施形態による淡水化システムについて、図３を参照して説明する。
【００２９】
本実施形態による淡水化システムは、流量計１０と保安フィルタ６との間の被処理水の流路に第１のクロロフィルａ測定装置１５を設置し、紫外線照射量制御装置１２Ａに替えて紫外線照射量制御装置１２Ｃを設置する他は第１実施形態による淡水化システムの構成と同様であるため、同一機能を有する装置については詳細な説明は省略する。
【００３０】
クロロフィルａ測定装置１５は、供給ポンプ５により取水され保安フィルタ６に供給される被処理水のファウリング要因物質であるＴＥＰと相関するクロロフィルａ濃度を計測する。
【００３１】
紫外線照射量制御装置１２Ｃは、流量計１０で計測された被処理水の流量とクロロフィルａ測定装置１５で計測されたクロロフィルａ濃度との積から被処理水のクロロフィルａ量を算出し、このクロロフィルａ量が多い程紫外線照射ランプ１１による照射量を多くするように制御する。
【００３２】
このように被処理水のクロロフィルａ量に基づいて決定された適切な照射量で紫外線を照射することにより、高圧ポンプ７で昇圧する前の被処理水の藻類の繁殖能力がより高い精度で不活化される。
【００３３】
上述した本実施形態において、第２実施形態として説明した淡水化システムにさらにクロロフィルａ測定装置を設置し、紫外線照射量制御装置１２Ｃにおいて算出されたＡＴＰ量およびクロロフィルａ量とから、紫外線照射ランプ１１による照射量を制御するようにしてもよい。例えば、ＡＴＰ量とクロロフィルａ量との少なくともいずれかが増加したときに紫外線照射量を多くするように制御するようにしてもよい。
【００３４】
〈第４実施形態〉
本発明の第４実施形態による淡水化システムについて、図４を参照して説明する。
【００３５】
本実施形態による淡水化システムは、電極１３１Ａに替えて、昇圧した被処理水中に活性酸素を発生させる電極１３１Ｂを有する電解装置１３Ｂを設置する他は第１実施形態〜第３実施形態のいずれかの淡水化システムの構成と同様であるため、同一機能を有する装置については詳細な説明は省略する。電解装置１３Ｂは、昇圧した被処理水中に銅イオンを発生させる電極１３１Ｂと、電極１３１Ｂに電気エネルギーを供給する電源部１３２とを有する。
【００３６】
このように逆浸透膜モジュール８の直前段階に電解装置１３Ｂを設置して被処理水中に活性酸素を発生させることにより、紫外線照射ランプ１１により不活化されずに残った微生物や藻類が不活化される。
【００３７】
以上の本実施形態によれば、ろ過水槽から高圧ポンプの間で紫外線を照射し、その後紫外線照射の効果が低下すると考えられる逆浸透膜モジュールの直前段階の高圧部分では、高圧に耐えられるように電解装置にて消毒作用の強い活性酸素を発生させることで微生物や藻類の不活化を行うため、高い精度で逆浸透膜の目詰まりを防止することが可能である。
【００３８】
〈第５実施形態〉
本発明の第５実施形態による淡水化システムについて、図５を参照して説明する。
【００３９】
本実施形態による淡水化システムは、紫外線照射後、高圧ポンプ７に供給される直前の被処理水の流量を計測する第２の流量計１６と、電解装置１３Ａまたは１３Ｂの電源部１３２による電極１３１Ａまたは１３１Ｂへの電気エネルギーの供給頻度や間隔を制御する電源制御装置１７Ａとを設置する他は第１実施形態〜第４実施形態のいずれかの淡水化システムの構成と同様であるため、同一機能を有する装置については詳細な説明は省略する。
【００４０】
電源制御装置１７Ａは、流量計１６で計測された被処理水の流量が多い程電極１３１Ａまたは１３１Ｂへの電気エネルギーの供給頻度を多くし間隔を短くするように制御する。
【００４１】
このように被処理水の流量に基づいて決定された適切な頻度、間隔で電極１３１Ａまたは１３１Ｂに電気エネルギーを供給して銅イオンまたは活性酸素を発生させることにより、高圧ポンプ７で昇圧した後の被処理水の微生物の増殖能力や藻類の繁殖能力がさらに高い精度で不活化される。
【００４２】
〈第６実施形態〉
本発明の第６実施形態による淡水化システムについて、図６を参照して説明する。
【００４３】
本実施形態による淡水化システムは、紫外線照射後、高圧ポンプ７に供給される直前の被処理水のＡＴＰ濃度を計測する第２のＡＴＰ測定装置１８あるいは当該箇所のクロロフィルａ濃度を計測する第２のクロロフィルａ測定装置１９、または、これら双方の装置を設置し、電源制御装置１７Ａに替えて電源制御装置１７Ｂを設置する他は第５実施形態による淡水化システムの構成と同様であるため、同一機能を有する装置については詳細な説明は省略する。
【００４４】
電源制御装置１７Ｂは、流量計１６で計測された被処理水の流量とＡＴＰ測定装置１８で計測されたＡＴＰ濃度との積から算出される被処理水のＡＴＰ量、あるいは被処理水の流量とクロロフィルａ測定装置１９で計測されたクロロフィルａ濃度との積から算出される被処理水のクロロフィルａ量、またはこれら双方の算出量から、電解装置１３Ａまたは１３Ｂの電源部１３２による電極１３１Ａまたは１３１Ｂへの電気エネルギーの供給頻度や間隔を制御する。例えば、ＡＴＰ量またはクロロフィルａ量が多い程電極１３１Ａまたは１３１Ｂへの電気エネルギーの供給頻度を多くし間隔を短くするように制御し、ＡＴＰ量とクロロフィルａ量との双方を利用する場合は、少なくともいずれかの量が増加したときに電極１３１Ａまたは１３１Ｂへの電気エネルギーの供給頻度を多くし間隔を短くするように制御するようにしてもよい。
【００４５】
このように被処理水のＡＴＰ量、クロロフィルａ量、またはこれら双方の量に基づいて決定された適切な頻度、間隔で電極１３１Ａまたは１３１Ｂに電気エネルギーを供給して銅イオンまたは活性酸素を発生させることにより、高圧ポンプ７で昇圧した後の被処理水の微生物の増殖能力や藻類の繁殖能力がさらに高い精度で不活化される。
【００４６】
〈第７実施形態〉
本発明の第７実施形態による淡水化システムについて、図７を参照して説明する。
【００４７】
本実施形態による淡水化システムは、ろ過水槽４の被処理水流出口近傍に第２の紫外線照射ランプ２０を設置する他は第１実施形態〜第６実施形態のいずれかの淡水化システムの構成と同様であるため、同一機能を有する装置については詳細な説明は省略する。
【００４８】
このようにろ過水槽４の被処理水流出口近傍に紫外線照射ランプ２０を設置し、ろ過水槽４内の被処理水流出口近傍の被処理水に紫外線を照射することにより、被処理水がろ過水槽４から流出する際に紫外線で消毒、不活化されて次工程に進む。
【００４９】
ろ過水槽４では被処理水の滞留時間が長く、上部は大気に開放されているため微生物の増殖が加速することが懸念されるが、ろ過水槽４の被処理水流出口に紫外線照射ランプ２０を設置したことによりろ過水槽４から流出する被処理水中の微生物量を抑制することが可能である。さらに、ろ過水槽４から流出しようとする微生物が存在した場合にも、照射している紫外線により不活化されるため、その後の微生物や藻類の増殖や繁殖を防止するプロセスの負荷を軽減することができる。
【００５０】
なお、紫外線を照射してから逆浸透膜モジュール８までのラインには光が差し込む場所も大気と触れる箇所も存在しないため、不活化した微生物の光回復も、新たな種類の微生物の混入も防止することが可能である。
【００５１】
〈第８実施形態〉
本発明の第８実施形態による淡水化システムについて、図８を参照して説明する。
【００５２】
本実施形態による淡水化システムは、ろ過水槽４の上部に第３の紫外線照射ランプ２１を設置する他は第１実施形態〜第７実施形態のいずれかの淡水化システムの構成と同様であるため、同一機能を有する装置については詳細な説明は省略する。
【００５３】
このようにろ過水槽４の上部に紫外線照射ランプ２１を設置したことにより、大気に開放され微生物の増殖が加速しやすい場所の被処理水を、紫外線で消毒、不活化することができる。
【００５４】
また、第７実施形態による淡水化システムに紫外線照射ランプ２１を設置すれば、被処理水流出口をさけてろ過水槽４に留まって増殖した微生物群を消毒、不活化することができ、微生物を効率良く抑制することが可能となる。
【００５５】
本発明のいくつかの実施形態を説明したが、これらの実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【符号の説明】
【００５６】
１…原水槽
２…原水ポンプ
３…前処理装置
４…ろ過水槽
５…供給ポンプ
６…保安フィルタ
７…高圧ポンプ
８…逆浸透膜モジュール
９…生産水槽
１０、１６…流量計
１１、２０、２１…紫外線照射ランプ
１２Ａ、１２Ｂ、１２Ｃ…紫外線照射量制御装置
１３Ａ、１３Ｂ…電解装置
１４、１８…ＡＴＰ測定装置
１５、１９…クロロフィルａ測定装置
１７Ａ、１７Ｂ…電源制御装置
１３１Ａ、１３１Ｂ…電極
１３２…電源部
【図１】
0005818598.tif 000002
【図２】
0005818598.tif 000003
【図３】
0005818598.tif 000004
【図４】
0005818598.tif 000005
【図５】
0005818598.tif 000006
【図６】
0005818598.tif 000007
【図７】
0005818598.tif 000008
【図８】
0005818598.tif 000009